(57)【要約】      （修正有）【課題】ケース厚さを極薄化しつつ、自動装着装置の操縦に耐える強度を維持可能なように、ケースの内表面の構造を改良した陳列ケースを提供する。【解決手段】正面板１４Ｃと背面板１３、蓋側面板１１Ｃと本体側面板１１Ｂ、及び底面板１５Ｃと開口２を設けた上端部１６を有し、ディスクケースの上端部を突出させた状態で上端の開口から挿入することが出来るメディアディスク用陳列ケース１に於いて、陳列ケースの内表面には、本体ケース１０Ｂと蓋ケース１０Ｃが閉じる際に位置決めされて互いに噛み合うことが出来るように複数の案内ガイド部が設けられ、陳列ケースの外表面には、２つの側面板の正面板側の縁にその側端を止着した透明シートが、２つの側面板と背面板の表面に張着され、本体ケースと蓋ケースを開いて透明シートの張着を解除した状態で、２つの側面板及び背面板と透明シートとの間の空間にタイトル紙を装着することができる。【選択図】図１
2020132248.tif 000002
【特許請求の範囲】
【請求項１】
正面板と背面板、一方の側面板（以下、「蓋側面板」ともいう）と他方の側面板（以下、「本体側面板」ともいう）の２つの側面板、及び底面板と開口を設けた上端に画された外表面と内表面を有し、ＤＶＤ等を収容したディスクケースの上端部を突出させた状態で該開口から挿入することが出来るケースにおいて、
前記蓋側面板に、前記正面板、前記底面板を起立させた蓋ケースと、
本体側面板に、本体正面板、本体底面板を起立させた本体ケースとが、
継手部を介して前記背面板と開閉自在に連結され、
該本体ケースの本体底面板と本体正面板とを、それぞれ該蓋ケースの底面板と正面板とが覆った閉状態で前記ケースを構成する陳列ケースであって、
前記陳列ケースの内表面には、
該本体ケースと該蓋ケースが閉じる際に位置決めされて互いに噛み合うことが出来るように複数の案内ガイド部が設けられ、
前記陳列ケースの外表面には、
前記２つの側面板の前記正面板側の縁にその側端を止着した透明シートが、該２つの側面板と前記背面板の表面に張着され、
該本体ケースと該蓋ケースを開いて該透明シートの張着を解除した状態で、該２つの側面板及び該背面板と該透明シートとの間の空間にタイトル紙を装着することができる、
メディアディスク用陳列ケース。
【請求項２】
紙片挿入手段と、ケース開閉手段と、を備える自動装着装置が、
ケース開閉手段により前記本体ケースと前記蓋ケースを開かせた状態で、該紙片挿入手段によりタイトル紙を装着し得る請求項１に記載の陳列ケースであって、
前記自動装着装置が、
前記ケース開閉手段により、
閉状態の本体ケースと蓋ケースを開き、
前記２つの側面板の前記正面板側の縁にその側端を止着した透明シートの張着を解除して、該透明シートがその自重で垂れ下がって形成された前記空間に、
前記紙片挿入手段によりタイトル紙を挿入することができる、メディアディスク用陳列ケース。
【請求項３】
前記ケース開閉手段は、２本の開閉自在なアームを備え、
該本体ケースの本体正面板と該蓋ケースの蓋正面板には、前記アームが夫々係止する本体係止部と蓋係止部とが対向して設けられており、
該本体ケースと該蓋ケースの閉状態で、
該本体係止部と該蓋係止部とに囲繞されて、前記ケース開閉手段が嵌る係止凹部が形成されており、
前記自動装着装置が、
前記アームを、夫々前記本体係止部と前記蓋係止部とに係止させて本体ケースと蓋ケースを開き、
前記紙片挿入手段により、前記透明シートがその自重で垂れ下がった状態で形成された前記空間に、タイトル紙を挿入することができる、
請求項２に記載のメディアディスク用陳列ケース。
【請求項４】
前記ケース開閉手段は、前記蓋ケースの蓋側面板及び前記本体ケースの本体側面板の夫々の外表面に吸着可能な２つの吸盤を備え、
該本体ケースと該蓋ケースの閉状態で、
前記自動装着装置が、
前記２つの吸盤を、前記蓋側面板と前記本体側面板の夫々の外表面に吸着させて本体ケースと蓋ケースを開き、
前記紙片挿入手段により、前記透明シートがその自重で垂れ下がった状態で形成された前記空間に、タイトル紙を挿入することができる、
請求項２に記載のメディアディスク用陳列ケース。
【請求項５】
前記ケース開閉手段は、前記本体ケースと前記蓋ケースの閉状態で、
前記本体ケースの本体正面板を覆う前記蓋ケースの正面板と、該本体ケースの本体側面板との間に挿入可能な先端鋭利な挿入片を備え、
前記自動装着装置が、
前記挿入片を、前記蓋ケースの正面板と該本体ケースの本体側面板との間に挿入させて本体ケースと蓋ケースを開き、
前記紙片挿入手段により、前記透明シートがその自重で垂れ下がった状態で形成された前記空間に、タイトル紙を挿入することができる、
請求項２に記載のメディアディスク用陳列ケース。
【請求項６】
前記紙片挿入手段は、複数の支持棒であり、
前記自動装着装置が、
前記ケース開閉手段により、閉状態の本体ケースと蓋ケースを開き、
前記透明シートがその自重で垂れ下がった状態で形成された前記空間に、タイトル紙を前記複数の支持棒により摘んで挿入することができる、
請求項２に記載のメディアディスク用陳列ケース。
【請求項７】
前記紙片挿入手段は、エア装置であり、
前記自動装着装置が、
前記ケース開閉手段により、閉状態の本体ケースと蓋ケースを開き、
前記透明シートがその自重で垂れ下がった状態で形成された前記空間に、前記エア装置により送風してタイトル紙を挿入することができる、
請求項２に記載のメディアディスク用陳列ケース。
【請求項８】
前記陳列ケースは、
前記２つの側面板の底面板側の縁又は上端側の縁の少なくとも一方にタイトル紙の位置決めに資する低いリブが沿設され、
前記紙片挿入手段により前記空間に挿入された前記タイトル紙を係止可能な、
請求項１乃至請求項７のいずれか1項に記載のメディアディスク用陳列ケース。
【請求項９】
上記案内ガイド部として、
蓋ケースの底面板との間に底縁隙間を空けて、底縁ガイド片を前記蓋側面板から起立させ、
前記本体ケースと前記蓋ケースの閉状態で、
前記底縁隙間に本体底面板が嵌るようにした、請求項１に記載のメディアディスク用陳列ケース。
【請求項１０】
上記案内ガイド部として、
前記本体底面板の背面板側に、上方へ傾斜した傾斜ガイド片を設け、
前記蓋ケースが前記本体ケースに向かって閉じる際に、該蓋ケースの底面板が前記傾斜ガイド片に干渉して、該本体ケースの本体底面板が該底面板と直接干渉しないように、該底面板を該本体底面板の外表面側に案内するようにした、請求項１に記載のメディアディスク用陳列ケース。
【請求項１１】
上記案内ガイド部として、
正面板の中央部を窪ませて凹部蓋正面板を形成し、
この凹部蓋正面板の背面板側には凹部中央隙間を残して凹部蓋補助正面板を蓋側面板から起立させ、
前記本体ケースと前記蓋ケースの閉状態で、
本体正面板の中央に設けた凹部本体正面板を上記凹部中央隙間に嵌合させる、
請求項１に記載のメディアディスク用陳列ケース。
【請求項１２】
前記本体ケースと前記蓋ケースの閉状態で、
凹部本体正面板の両側に設けた本体凹部縁ガイド片を、
蓋ケースに設けた凹部蓋補助正面板と正面板との間の凹部縁隙間に嵌合させる、
請求項１に記載のメディアディスク用陳列ケース。
【請求項１３】
上記案内ガイド部として、
正面板の上端には蓋上部コーナーを設け、
本体正面板の上端には本体上部コーナーを設け、
そして、蓋上部コーナーの内側にはガイドリブを蓋側面板から起立すると共にその先端と正面板との間には隙間を形成し、
前記本体ケースと前記蓋ケースの閉状態で、
この隙間に本体正面板を嵌めると共に本体上部コーナーをガイドリブの上部コーナー空間に嵌めたことを特徴とする、
請求項１に記載のメディアディスク用陳列ケース。
【請求項１４】
前記蓋側面板及び／又は前記本体側面板の内表面に、
該蓋側面板及び／又は該本体側面板を補強するための補強リブが格子状に立設された、
請求項１に記載のメディアディスク用陳列ケース。
【請求項１５】
前記蓋ケースの蓋側面板又は前記本体ケースの本体側面板の内表面において、
該本体ケースと該蓋ケースの閉状態で、対向する該本体側面板又は該蓋側面板に当接して、
該本体側面板と該蓋側面板間の間隔を保持する1又は複数のスペーサーが立設された、
請求項１に記載のメディアディスク用陳列ケース。
【請求項１６】
請求項１５に記載のスペーサーが、
前記開口から挿入したディスク収容ケースの下端部に当接してこれを支持する位置に立設された、
請求項１に記載のメディアディスク用陳列ケース。
【請求項１７】
前記蓋側面板と、前記本体側面板とが、前記背面板と開閉自在に連結される継手部は、
一体成形された前記蓋側面板、前記背面板、及び前記本体側面板において、
前記蓋側面板と前記背面板間、および、前記本体側面板と前記背面板間の夫々の外表面と内表面に、Ｕ字型又はＶ字型の溝が穿設されて形成された、
請求項１に記載のメディアディスク用陳列ケース。
【発明の詳細な説明】
【技術分野】
【０００１】
本発明は、レンタル用ＤＶＤ、ＣＤ等を入れたメディアディスクケースを収容するメディアディスク用陳列ケースに関し、特に、自動装着装置がメディアディスク用陳列ケースを開閉してメディアディスク用陳列ケース外表面に張着した透明シートとの間にタイトル紙を自動挿入出来るようにしたメディアディスク用陳列ケースの構造に関するものである。
【背景技術】
【０００２】
図１２はＤＶＤ等のメディアディスクをメディアディスクケース（ロ）に入れてメディアディスク用陳列ケース（イ）に収容した場合である。そして、このメディアディスク用陳列ケース（イ）はレンタルショツプ等の店頭の陳列棚に配列され、客は上端部が突出したメディアディスクケース（ロ）を抜き取って借りることが出来る。
【０００３】
以下、簡単のため、ＤＶＤ等のメディアディスクを「ディスク」と、これを収納するメディアディスクケースを「ディスクケース」と、そしてこのディスクケース（メディアディスクケース）を収容するメディアディスク用陳列ケースを単に「陳列ケース」とも呼ぶこととする。
【０００４】
陳列ケース（イ）の表面にはタイトル紙が取付けられるが、タイトル紙は陳列ケース（イ）の表面に貼着されている透明シートに挟まれている。タイトル紙はディスクケース（ロ）に収容されているＤＶＤやＣＤ等のメディアディスクの記録内容を示すもので、顧客はこのタイトル紙を見て好みのＤＶＤやＣＤを借りることが出来る。
【０００５】
陳列ケース（イ）は本体ケースと蓋ケースで構成され、開閉可能な構造としているが、この表面に張着した透明シートとの間にタイトル紙を挿入する作業は容易でない。そこで、自動装着装置により、自動でタイトル紙を挿入可能とした陳列ケース（イ）について種々の発明がなされ、例えば特許文献１、特許文献２などに開示されている。
【０００６】
すなわち、本体ケースと蓋ケースを開くと（開状態）、陳列ケース（イ）の外表面の透明シートはダブ付いて空間が形成され、この空間にタイトル紙を挿入して再び閉じる自動装着装置が開発され、特許文献１及び特許文献２には、この工程を行えるような自動装着装置に適応した陳列ケース（イ）が開示されている。
【０００７】
陳列ケース（イ）には、自動装着装置の自動操縦に対応する構造と強度が必要とされるが、一方ではコストダウンのために、一体成形される本体ケースと蓋ケース厚さの極薄化が要求されている。
【０００８】
【特許文献１】特許第４９５１３３３号公報
【特許文献２】特許第５２４８８５０号公報
【発明の概要】
【発明が解決しようとする課題】
【０００９】
このような問題に鑑み、本発明は、ケース厚さを極薄化しつつ、自動装着装置の自動操縦に耐える強度を維持可能なように、本体ケースと蓋ケースの内表面の構造を剛性化した陳列ケースを提供する。
【課題を解決するための手段】
【００１０】
本発明に係るメディアディスク用陳列ケースは、正面板と背面板、一方の側面板（以下、「蓋側面板」ともいう）と他方の側面板（以下、「本体側面板」ともいう）の２つの側面板、及び底面板と開口を設けた上端に画された外表面と内表面を有し、ＤＶＤ等を収容したディスクケースの上端部を突出させた状態で該開口から挿入することが出来るケースにおいて、前記蓋側面板に、前記正面板、前記底面板を起立させた蓋ケースと、本体側面板に、本体正面板、本体底面板を起立させた本体ケースとが、継手部を介して前記背面板と開閉自在に連結され、該本体ケースの本体底面板と本体正面板とを、それぞれ該蓋ケースの底面板と正面板とが覆った閉状態で前記ケースを構成する陳列ケースであって、
前記陳列ケースの内表面には、該本体ケースと該蓋ケースが閉じる際に位置決めされて互いに噛み合うことが出来るように複数の案内ガイド部が設けられ、
前記陳列ケースの外表面には、前記２つの側面板の前記正面板側の縁にその側端を止着した透明シートが、該２つの側面板と前記背面板の表面に張着され、
該本体ケースと該蓋ケースを開いて該透明シートの張着を解除した状態で、該２つの側面板及び該背面板と該透明シートとの間の空間にタイトル紙を装着することができる。
【００１１】
このような本発明のメディアディスク用陳列ケースは、ＤＶＤ、ＣＤ等の情報を記憶するあらゆるメディアディスクを収容するディスクケースに対応することができ、以下、便宜のために単に「陳列ケース」ともいう。
【００１２】
本発明に係るメディアディスク用陳列ケースは、紙片挿入手段と、ケース開閉手段と、を備える自動装着装置が、ケース開閉手段により前記本体ケースと前記蓋ケースを開かせた状態で、該紙片挿入手段によりタイトル紙を装着し得る上記陳列ケースであって、
前記自動装着装置が、
前記ケース開閉手段により、閉状態の本体ケースと蓋ケースを開き、前記２つの側面板の前記正面板側の縁にその側端を止着した透明シートの張着を解除して、該透明シートがその自重で垂れ下がって形成された前記空間に、前記紙片挿入手段によりタイトル紙を挿入することができる。
【００１３】
本発明に係るメディアディスク用陳列ケースにおいて、前記ケース開閉手段は、２本の開閉自在なアームを備え、該本体ケースの本体正面板と該蓋ケースの蓋正面板には、前記アームが夫々係止する本体係止部と蓋係止部とが対向して設けられており、
該本体ケースと該蓋ケースの閉状態で、該本体係止部と該蓋係止部とに囲繞されて、前記ケース開閉手段が嵌る係止凹部が形成されており、
前記自動装着装置が、
前記アームを、夫々前記本体係止部と前記蓋係止部とに係止させて本体ケースと蓋ケースを開き、前記紙片挿入手段により、前記透明シートがその自重で垂れ下がった状態で形成された前記空間に、タイトル紙を挿入することができる。
【００１４】
本発明に係るメディアディスク用陳列ケースにおいて、前記ケース開閉手段は、前記蓋ケースの蓋側面板及び前記本体ケースの本体側面板の夫々の外表面に吸着可能な２つの吸盤を備え、該本体ケースと該蓋ケースの閉状態で、
前記自動装着装置が、
前記２つの吸盤を、前記蓋側面板と前記本体側面板の夫々の外表面に吸着させて本体ケースと蓋ケースを開き、前記紙片挿入手段により、前記透明シートがその自重で垂れ下がった状態で形成された前記空間に、タイトル紙を挿入することができる。
【００１５】
本発明に係るメディアディスク用陳列ケースにおいて、前記ケース開閉手段は、前記本体ケースと前記蓋ケースの閉状態で、前記本体ケースの本体正面板を覆う前記蓋ケースの正面板と、該本体ケースの本体側面板との間に侵入可能な先端鋭利な挿入片を備え、
前記自動装着装置が、
前記挿入片を、前記蓋ケースの正面板と該本体ケースの本体側面板との間に挿入させて本体ケースと蓋ケースを開き、前記紙片挿入手段により、前記透明シートがその自重で垂れ下がった状態で形成された前記空間に、タイトル紙を挿入することができる。
【００１６】
本発明に係るメディアディスク用陳列ケースにおいて、前記紙片挿入手段は、複数の支持棒であり、
前記自動装着装置が、
前記ケース開閉手段により、閉状態の本体ケースと蓋ケースを開き、前記透明シートがその自重で垂れ下がった状態で形成された前記空間に、タイトル紙を前記複数の支持棒により摘んで挿入することができる。
【００１７】
本発明に係るメディアディスク用陳列ケースにおいて、前記紙片挿入手段は、エア装置であり、
前記自動装着装置が、
前記ケース開閉手段により、閉状態の本体ケースと蓋ケースを開き、前記透明シートがその自重で垂れ下がった状態で形成された前記空間に、前記エア装置により送風してタイトル紙を挿入することができる
【００１８】
本発明に係るメディアディスク用陳列ケースにおいて、前記陳列ケースは、前記２つの側面板の底面板側の縁又は上端側の縁の少なくとも一方にはタイトル紙の位置決めに資する低いリブが沿設され、前記紙片挿入手段により前記空間に挿入された前記タイトル紙を係止可能である。
【００１９】
本発明に係るメディアディスク用陳列ケースは、上記案内ガイド部として、蓋ケースの底面板との間に底縁隙間を空けて、底縁ガイド片を前記蓋側面板から起立させ、前記本体ケースと前記蓋ケースの閉状態で、前記底縁隙間に本体底面板が嵌るようにした。この底縁ガイド片は、該底面板との間に設けた該底縁隙間に嵌合する本体底面板が干渉しないように、該底面板と対向する上縁部を円弧状とするのが好ましい。
【００２０】
本発明に係るメディアディスク用陳列ケースは、上記案内ガイド部として、前記本体底面板の背面板側に、上方へ傾斜した傾斜ガイド片を設け、
前記蓋ケースが前記本体ケースに向かって閉じる際に、該蓋ケースの底面板が前記傾斜ガイド片に干渉して、該本体ケースの本体底面板が該底面板と直接干渉しないように、該底面板を該本体底面板の外表面側に案内するようにした。
【００２１】
本発明に係るメディアディスク用陳列ケースは、上記案内ガイド部として、正面板の中央部を窪ませて凹部蓋正面板を形成し、この凹部蓋正面板の背面板側には凹部中央隙間を残して凹部蓋補助正面板を蓋側面板から起立させ、前記本体ケースと前記蓋ケースの閉状態で、本体正面板の中央に設けた凹部本体正面板を上記凹部中央隙間に嵌合させてもよい。
【００２２】
本発明に係るメディアディスク用陳列ケースは、前記本体ケースと前記蓋ケースの閉状態で、凹部本体正面板の両側に設けた本体凹部縁ガイド片を、蓋ケースに設けた凹部蓋補助正面板と正面板との間の凹部縁隙間に嵌合させてもよい。
【００２３】
本発明に係るメディアディスク用陳列ケースは、上記案内ガイド部として、正面板の上端には蓋上部コーナーを設け、本体正面板の上端には本体上部コーナーを設け、
そして、蓋上部コーナーの内側にはガイドリブを蓋側面板から起立すると共にその先端と正面板との間には隙間を形成し、
前記本体ケースと前記蓋ケースの閉状態で、この隙間に本体正面板を嵌めると供に本体上部コーナーをガイドリブの上部コーナー空間に嵌めたことを特徴とする。
【００２４】
本発明に係るメディアディスク用陳列ケースは、前記蓋側面板及び／又は前記本体側面板の内表面に、該蓋側面板及び／又は該本体側面板を補強するための補強リブが格子状に立設されてもよい。
【００２５】
本発明に係るメディアディスク用陳列ケースは、前記蓋ケースの蓋側面板又は前記本体ケースの本体側面板の内表面において、
該本体ケースと該蓋ケースの閉状態で、対向する該本体側面板又は該蓋側面板に当接して、該本体側面板と該蓋側面板間の間隔を保持する1又は複数のスペーサーが立設されてもよい。
【００２６】
本発明に係るメディアディスク用陳列ケースは、上記スペーサーが、前記開口から挿入したディスク収容ケースの下端部に当接してこれを支持する位置に立設されてもよい。
【００２７】
本発明に係るメディアディスク用陳列ケースは、前記蓋側面板と、前記本体側面板とが、前記背面板と開閉自在に連結される継手部は、一体成形された前記蓋側面板、前記背面板、及び前記本体側面板において、前記蓋側面板と前記背面板間、および、前記本体側面板と前記背面板間の夫々の外表面と内表面に、Ｕ字型又はＶ字型の溝が穿設されて形成されるのが好適である。
【発明の効果】
【００２８】
本発明に係るメディアディスク用陳列ケースは、紙片挿入手段と、ケース開閉手段と、を備える自動装着装置が、ケース開閉手段により陳列ケースの本体ケースと蓋ケースを開かせた状態で、上記紙片挿入手段によりタイトル紙を装着することができる。例えば本体正面板及び正面板に係止凹部を設けたので、自動装着装置のアーム（ケース開閉手段）を上記係止凹部に係止して本体ケースと蓋ケースで構成した陳列ケースを開くことが出来る。そして、陳列ケースを開くことで表面に貼着した透明シートがダブ付いた状態でタイトル紙を挿入して装着することが出来る。
【００２９】
そして、開いた本体ケースと蓋ケースを閉じる場合には、本体ケース側の正面板と底面板、及び蓋ケース側の正面板と底面板がスムーズに抱き合って接合出来るように、各種案内ガイド部を形成している。これらの案内ガイド部を設けることで、極薄化された本体ケースと蓋ケースの剛性を高めることもできる。
【００３０】
さらに本発明に係るメディアディスク用陳列ケースは、内表面に、この各種案内ガイド部と共に剛性強化構造を設けたので、ケース厚さを極薄化しつつ、自動装着装置の上記自動操縦に耐える強度を保持することができる。
【図面の簡単な説明】
【００３１】
【図１】本発明に係るメディアディスク用陳列ケースの外表面斜視図。
【図２】陳列ケースの外表面と、外表面に張着された透明シート間に空間が形成されている、開状態の陳列ケースの平面図。
【図３】陳列ケースの外表面と、外表面に張着された透明シート間の空間にタイトル紙が挿入されている、開状態の陳列ケースの平面図。
【図４】陳列ケースの開状態における内表面の正面図。
【図５】陳列ケースの開状態における別の実施態様の内表面の斜視正面図。
【図６】陳列ケースの内表面に設けられる案内ガイド部の位置を表す正面模式図。
【図７】正面係止凹部にアームが嵌合した陳列ケースの斜視図。
【図８】蓋側面板に設けたガイド片と底面板との間の隙間に本体底面板が嵌っている状態の断面模式図。
【図９】凹部蓋正面板と凹部蓋補助正面板との隙間に凹部本体正面板が嵌っている状態の断面模式図。
【図１０】正面板と凹部蓋補助正面板の空間にガイド片が嵌入している状態の断面模式図。
【図１１】陳列ケースが開いた状態の断面模式図。
【図１２】ＤＶＤ、ＣＤ等を入れたディスクケースが上端を突出して収納されている陳列ケースの外表面斜視図。
【発明を実施するための形態】
【００３２】
以下、図面を参照しながら本発明に係るメディアディスク用陳列ケースの実施形態、実施例について説明する。なお、以下各図面を通して同一の構成要素には同一の符号を使用するものとする。
（１）メディアディスク用陳列ケース
【００３３】
本発明に係るメディアディスク用陳列ケース（陳列ケース）１は、図１に示すように、正面板１４Ｃ及び背面板１３と、一方の側面板（以下、「蓋側面板」ともいう）１１Ｃ及び他方の側面板（以下、「本体側面板」ともいう）１１Ｂの２つの側面板１１Ｃ、１１Ｂと、底面板１５Ｃ及び開口２を設けた上端１６とに画された外表面と内表面を有し、ＤＶＤ等のメディアディスクを収容したディスクケースの上端部を突出させた状態で開口２の外表面側から内表面側へ挿入することが出来る陳列ケース１である。ここで、上記背面板１３はレンタルショツプ等の陳列棚に配列する際には正面に向いて位置するが、説明の便宜上背面板とする。
【００３４】
本陳列ケース１は、蓋側面板１１Ｃに、正面板１４Ｃ、底面板１５Ｃを起立させた蓋ケース１０Ｃと、本体側面板１１Ｂに、本体正面板１４Ｂ、本体底面板１５Ｂを起立させた本体ケース１０Ｂとが、継手部１２を介して背面板１３と開閉自在に連結されている（図５、図６参照）。そして、本体ケース１０Ｂの本体底面板１５Ｂと本体正面板１４Ｂとを、それぞれ蓋ケース１０Ｃの底面板１５Ｃと正面板１４Ｃとが覆った閉状態で図１の陳列ケース１を構成する。
【００３５】
上述のように、図１の陳列ケース１は、直方体を成して上端１６は開口（開口２）し、上端開口２からＤＶＤやＣＤなどのメディアディスクを収容したディスクケースが挿入される形態としている。そして、陳列ケース１は本体側面板１１Ｂと蓋側面板１１Ｃ及び背面板１３を有し、本のように開くことが出来て図４、図５、図６のように一面に広がる。すなわち、本体側面板１１Ｂと背面板１３の間、及び蓋側面板１１Ｃと背面板１３との間には肉厚を薄くした継手部１２が形成されて、折り畳んで直方体の陳列ケース１に組立てることができ、また、一面に開くことが出来る。さらに、図２、図３のように外表面側に反ることも出来る。
【００３６】
また、本発明に係る陳列ケース１の内表面には、本体ケース１０Ｂと蓋ケース１０Ｃが閉じる際に位置決めされて互いに噛み合うことが出来るように複数の案内ガイド部が設けられている。一方、陳列ケース１の外表面には、２つの側面板１１Ｃ、１１Ｂの正面板１４Ｃ側の縁にその側端を止着した透明シート３が、２つの側面板１１Ｃ、１１Ｂと背面板１３の表面に張着され（図２参照）、本体ケース１０Ｂと蓋ケース１０Ｃを開いて透明シート３の張着を解除した状態で、２つの側面板１１Ｃ、１１Ｂ及び背面板１３と透明シート３との間の空間４にタイトル紙１１０を装着することができる（図３参照）。
【００３７】
継手部Ｖ字型溝
ここで、蓋側面板１１Ｃと本体側面板１１Ｂは、上記のように、肉厚を薄くした継手部１２を介して背面板１３に開閉自在に連結されている（図６参照）。この継手部１２は、一体成形された蓋側面板１１Ｃ、背面板１３、及び本体側面板１１Ｂにおいて、蓋側面板１１Ｃと背面板１３間、および、本体側面板１１Ｂと背面板１３間の夫々の外表面と内表面に、Ｕ字型又はＶ字型の溝が穿設されて、肉薄に形成されている。そのため、本体ケース１０Ｂと蓋ケース１０Ｃとを閉じた陳列ケース１を開くと、この本体ケース１０Ｂと蓋ケース１０Ｃとを、図２のように外表面側に弓状に反った状態（以下、「開状態」という）にすることができる。したがって、２つの側面板１１Ｃ、１１Ｂと背面板１３の表面に張着された透明シート３を鉛直下方向に向けて陳列ケース１を開けば、上記開状態で透明シート３の張着を解除して、２つの側面板１１Ｃ、１１Ｂ及び背面板１３と透明シート３との間に空間４を形成することができる。
【００３８】
以上のように、本発明の陳列ケース１は、上述のように自動装着装置１００で２つの側面板１１Ｃ、１１Ｂを外表面側に反らせた開状態で透明シート３をダブ付かせ、この開状態で透明シート３との間（空間４）にタイトル紙１１０を挿入し、その後で閉じることが出来るように構成した（図２、図３参照）。そこで、自動装着装置１００のケース開閉手段１０１が陳列ケース１を開くことが出来る。そして、閉じる場合には本体正面板１４Ｂと正面板１４Ｃ、及び底面板１５Ｃと本体底面板１５Ｂがスムーズに抱き合って接合出来るように、各種案内ガイド部を形成している。さらに陳列ケース１は、内表面に、この各種案内ガイド部と共に剛性強化構造を設け、ケース厚さを極薄化しつつ、自動装着装置１００の上記自動操縦に耐える強度を維持可能なように設計されている。
（２）自動装着装置によるタイトル紙挿入手段
（２−１）ケース開閉手段
【００３９】
正面係止凹部（自動装着装置；包括）
本発明に係るメディアディスク用陳列ケース１は、紙片挿入手段１０５と、ケース開閉手段１０１と、を備える自動装着装置１００が、ケース開閉手段１０１により図２のように本体ケース１０Ｂと蓋ケース１０Ｃを開いて外表面側に反らせた開状態で、紙片挿入手段１０５によりタイトル紙１１０を装着することができる。
【００４０】
図２は、ケース開閉手段１０１が透明シート１１０を下方向にして陳列ケース１を開き、外表面側に弓状に反った陳列ケース１の開状態であるが、表面に貼着している透明シート１１０は同図のように表面から離れて間に空間４が形成される。すなわち、透明シート３の両側端は本体ケース１０Ｂ表面の側縁部と蓋ケース１０Ｃ表面の側縁部に止着されているため、その他の部分は自重により垂れ下がり、本体ケース１０Ｂの外表面と蓋ケース１０Ｃの外表面との間に大きく空間４が形成される。図２では陳列ケース１を開いたケース開閉手段１０１は省略されているが、開いた本体ケース１０Ｂと蓋ケース１０Ｃは同図に示す開状態で支持される。そこで、紙片挿入手段１０５がこの空間４にタイトル紙１１０を挿入し、ケース開閉手段１０１が再び陳列ケース１を閉じれば、タイトル紙１１０を透明シート３との間に装着することができる。
【実施例１】
【００４１】
正面係止凹部（自動装着装置；アーム対応）
本実施例１の陳列ケース１において、ケース開閉手段１０１は、図７に示す２本の開閉自在なアーム１０１ａ、１０１ｂを備え、図１のように本体ケース１０Ｂの本体正面板１４Ｂと蓋ケース１０Ｃの正面板１４Ｃには、アーム１０１ａ、１０１ｂが夫々係止する本体係止部２２と蓋係止部２１とが対向して設けられている。そして、本体ケース１０Ｂと蓋ケース１０Ｃの閉状態で、本体係止部２２と蓋係止部２１とに囲繞されて、ケース開閉手段１０１が嵌る係止凹部２０が形成される。
【００４２】
そして、このようなケース開閉手段１０１を備える自動装着装置１００が、アーム１０１ａ、１０１ｂを、夫々本体係止部２２と蓋係止部２１とに係止させて本体ケース１０Ｂと蓋ケース１０Ｃを開き（図２参照）、紙片挿入手段１０５により、透明シート３がその自重で垂れ下がった状態で形成された空間４に、図３のようにタイトル紙１１０を挿入することができる。
【００４３】
図７は本発明に係る陳列ケース１の係止凹部２０に一対のアーム１０１ａ、１０１ｂを嵌合させた状態であり、アーム１０１ａ、１０１ｂの先端は係止凹部２０に嵌って、本体係止部２２と蓋係止部２１に係止している。本体ケース１０Ｂと蓋ケース１０Ｃから成る陳列ケース１は、アーム１０１ａ、１０１ｂを引き離すことで本体ケース１０Ｂと蓋ケース１０Ｃは開くことが出来る。
【実施例２】
【００４４】
正面係止凹部（自動装着装置；吸盤対応）
図示しないが、ケース開閉手段１０１は、蓋ケース１０Ｃの蓋側面板１１Ｃ及び本体ケース１０Ｂの本体側面板１１Ｂの夫々の外表面に吸着可能な２つの吸盤を備えてもよい。本体ケース１０Ｂと蓋ケース１０Ｃの閉状態で、自動装着装置１００が、上記２つの吸盤を、蓋側面板１１Ｃと本体側面板１１Ｂの夫々の外表面に吸着させて本体ケース１０Ｂと蓋ケース１０Ｃを開き、紙片挿入手段１０５により、透明シート３がその自重で垂れ下がった状態で形成された空間４に、タイトル紙１１０を挿入することができる。
【実施例３】
【００４５】
正面係止凹部（自動装着装置；挿入片対応）
ケース開閉手段１０１は、本体ケース１０Ｂと蓋ケース１０Ｃの閉状態で、本体ケース１０Ｂの本体正面板１４Ｂを覆う蓋ケース１０Ｃの正面板１４Ｃと、本体ケース１０Ｂの本体側面板１１Ｂとの間に侵入可能な先端鋭利な挿入片を備えてもよい（図１参照）。自動装着装置１００が、この挿入片を、蓋ケース１０Ｃの正面板１４Ｃと本体ケース１０Ｂの本体側面板１１Ｂとの間に挿入させて本体ケース１０Ｂと蓋ケース１０Ｃを開き、紙片挿入手段１０５により、透明シート３がその自重で垂れ下がった状態で形成された空間に、タイトル紙１１０を挿入することができる。本実施例３のケース開閉手段１０１に係る挿入片は、実施例１のアーム１０１ａ、１０１ｂや、実施例２の吸盤と併用するのが効果的である。
（２−２）紙片挿入手段
【００４６】
上述のように、本体ケース１０Ｂと蓋ケース１０Ｃは、ケース開閉手段１０１により図２に示す開状態で支持される。そして、図３のように、紙片挿入手段１０５が、この空間４にタイトル紙１１０を挿入する。そして、空間４へ挿入されたタイトル紙１１０は、ケース開閉手段１０１が本体ケース１０Ｂと蓋ケース１０Ｃを閉じることにより、本体側面板１１Ｂと蓋側面板１１Ｃ及び背面板１３とその外表面に張着した透明シート３との間に装着・固定される。紙片挿入手段１０５は、下記実施例４のようなタイトル紙１１０を摘んで挿入する方式や、実施例５のようなエアでタイトル紙１１０を空間４に挿入するエア方式でもよく、特に限定されない。
【実施例４】
【００４７】
紙片挿入手段；支持棒対応
実施例４に係る紙片挿入手段１０５は、図３に示すように、複数の支持棒１０５ａ、１０５ｂ、及び左右の１０６ａ、１０６ｂである。自動装着装置１００が、ケース開閉手段１０１により本体ケース１０Ｂと蓋ケース１０Ｃを開き、透明シート３がその自重で垂れ下がった状態で形成された空間４に、タイトル紙１１０を支持棒１０５ａ、１０５ｂ、１０６ａ、１０６ｂで摘んで挿入することができる。
【００４８】
図３において、タイトル紙１１０は逆Ｗ形に湾曲して支持されている。すなわち、逆Ｗ形に湾曲した状態で支持されて空間４に挿入される。ここで、タイトル紙１１０の中央部は２本の支持棒１０５ａ、１０５ｂに挟まれ、逆Ｗ型の２つの頂部は左右一対の夫々２本の支持棒１０６ａ、１０６ｂにより夫々挟まれている。
【００４９】
このように上記支持棒１０５ａ、１０５ｂ、１０６ａ、１０６ｂによって支持されて空間４へ挿入されたタイトル紙１１０は、本体ケース１０Ｂと蓋ケース１０Ｃが閉じることで本体ケース１０Ｂ及び背面板１３及び蓋ケース１０Ｃと、その外表面に張着した透明シート３との間に装着される。すなわち、本体ケース１０Ｂと蓋ケース１０Ｃが閉じると同時に支持棒１０５ａ、１０５ｂ、１０６ａ、１０６ｂが空間４から抜けて、本体ケース１０Ｂ及び背面板１３及び蓋ケース１０Ｃと、透明シート３との間に透明シート３は挟まれて固定される。
【実施例５】
【００５０】
紙片挿入手段；エア装置対応
紙片挿入手段１０５は、エア装置であってもよい。上述のように、自動装着装置１００が、ケース開閉手段１０１により形成した空間４に、エア装置により送風してタイトル紙を挿入してもよい。
（２−３）紙片係止手段
【００５１】
タイトル紙係止用の低いリブ
上述のように、実施例４では、本体ケース１０Ｂと蓋ケース１０Ｃが閉じると同時に支持棒１０５ａ、１０５ｂ、１０６ａ、１０６ｂが空間４から抜けて、本体ケース１０Ｂ及び背面板１３及び蓋ケース１０Ｃと、透明シート３との間にタイトル紙１１０が挟まれる。支持棒１０５ａ、１０５ｂ、１０６ａ、１０６ｂは後退するが、この際、タイトル紙１１０が支持棒１０５ａ、１０５ｂ、１０６ａ、１０６ｂの後退と共に外れないように、陳列ケース１は、２つの側面板１１Ｃ、１１Ｂの底面板１５Ｃ側の縁又は上端１６側の縁の少なくとも一方には低いリブ５が沿設され、紙片挿入手段１０１により空間４に挿入されたタイトル紙１１０を係止することができる。
【００５２】
あるいは、実施例５のエア装置が送風してタイトル紙１１０を空間４に挿入する際、２つの側面板１１Ｃ、１１Ｂの底面板１５Ｃ側の縁又は上端１６側の縁に設けた低いリブ５がストッパーとなって、タイトル紙１１０が陳列ケース１の外表面と透明シート３との間から外れないようにすることができる。
【００５３】
以上のように、２つの側面板１１Ｃ、１１Ｂの底面板１５Ｃ側の縁又は上端１６側の縁に設けた低いリブ５は、本体ケース１０Ｂ及び背面板１３及び蓋ケース１０Ｃと、透明シート３との間にタイトル紙１１０を挿入する際に、事実上タイトル紙１１０の位置を決定する機能を有している。透明シート３との間に挟むタイトル紙１１０の上縁又は下縁の位置を一定に保持できるよう、適切な位置に低いリブ５を設けるのが好適である。
（３）案内ガイド部
【００５４】
本発明に係るメディアディスク用陳列ケース１は、上述したように、本体ケース１０Ｂと蓋ケース１０Ｃを閉じる際に本体正面板１４Ｂと正面板１４Ｃ、及び底面板１５Ｃと本体底面板１５Ｂがスムーズに抱き合って接合又は嵌合出来るように、各種案内ガイド部を形成している（図４〜図６参照）。この各種案内ガイド部は、ケース厚さを極薄化しつつ、自動装着装置１００の上記自動操縦に耐えるように、陳列ケース１の剛性を強化する役割も兼ねている。
【００５５】
すなわち、本発明の陳列ケース１は、自動装着装置１００によって本体ケース１０Ｂと蓋ケース１０Ｃが開かれ、透明シート３との間にタイトル紙１１０を挿入したところで自動装着装置１００により閉じられる。しかし、陳列ケース１はディスクケースを収容する為に上端１６に開口２が設けられており、また、低コスト化のためディスクケースの厚さが可能な限り極薄化されているため、陳列ケース１全体の剛性は低くなり、その為に変形し易く、本体ケース１０Ｂと蓋ケース１０Ｃが所望の通り接合しにくくなる。各種案内ガイド部は、蓋ケース１０Ｃが本体ケース１０Ｂを覆って本来通り陳列ケース１が形成されるように、本体正面板１４Ｂと正面板１４Ｃ、及び本体底面板１５Ｂと底面板１５Ｃの噛合いをスムーズにガイドすることができる。
【００５６】
Ａ部〜Ｆ部における噛み合い案内ガイド部 
図６は、陳列ケース１を開いた状態の本体ケース１０Ｂと蓋ケース１０Ｃの内表面を表しており、各種案内ガイド部の位置Ａ部〜Ｅ部が示されている。位置Ａ部〜Ｅ部に設けられた案内ガイド部は、本体ケース１０Ｂと蓋ケース１０Ｃが正しく噛み合って閉じることが出来る構造と成っている。本体ケース１０Ｂ及び蓋ケース１０Ｃが変形して噛合い位置が多少ズレても、案内ガイド部にて案内されて本体ケース１０Ｂと蓋ケース１０Ｃは閉じることが出来る。以下、実施例により各種案内ガイド部の具体的な形態について説明する。
（３−１）底縁部（図６Ｂ及びＣ）
【実施例６】
【００５７】
底縁ガイド片
本実施例６の陳列ケース１は、上記案内ガイド部として、図６のＢ部に、底縁ガイド片３０、３０を設けた。すなわち、蓋ケース１０Ｃの底面板１５Ｃとの間に底縁隙間３０ａを空けて、底縁ガイド片３０、３０を蓋側面板１１Ｃから起立させ（図５参照）、本体ケース１０Ｂと蓋ケース１０Ｃの閉状態で、底縁隙間３０ａに本体底面板１５Ｂが嵌るようにした。底縁ガイド片３０、３０は、図８のように、底面板１５Ｃとの間に設けた底縁隙間３０ａに本体底面板１５Ｂを嵌合させる際に、この本体底面板１５Ｂが底縁ガイド片３０、３０の縁部と干渉しないように、底面板１５Ｃと対向する上縁部を円弧状（円弧３１）とするのが好ましい。
【００５８】
上記のように、底面板１５Ｃと対向する底縁ガイド片３０の上縁部を滑らかな円弧３１としたので、この底縁隙間３０ａに本体底面板１５Ｂが滑らかに嵌入して、本体ケース１０Ｂが蓋ケース１０Ｃに嵌って閉じることが出来る。本体底面板１５Ｂの先端が底縁ガイド片３０に干渉しても、上コーナー（上縁部）の円弧３１に当って隙間３０ａへ導かれる。なお、本実施例６では、底縁ガイド片３０、３０を蓋ケース１０Ｃの底面板１５Ｃ近傍に設けたが、図６の本体底面板１５Ｂ側のＢ部に設けてもよい。
【実施例７】
【００５９】
傾斜ガイド片
次に、本実施例７では上記案内ガイド部として、図６のＣ部にあたる本体底面板１５Ｂの背面板１３側に、上方へ傾斜した傾斜ガイド片３５を設けている。この傾斜ガイド片３５は陳列ケース１が閉じる際に底面板１５Ｃに干渉して、本体底面板１５Ｂが底面板１５Ｃと直接干渉しないように持ち上げられる。そして持ち上げられた本体底面板１５Ｂは上記底縁ガイド片３０、３０にガイドされて底縁隙間３０ａへ導かれる。なお、本実施例６では、この傾斜ガイド片３５を本体ケース１０Ｂ側に設けたが、蓋ケース１０Ｃ側の底面板１５Ｃの背面板１３側に設けてもよい。
【００６０】
以上のように、図６のＢ部、Ｃ部に設けた底縁ガイド片３０、３０及び傾斜ガイド片３５は、陳列ケース１を閉じる場合、それぞれ、あるいは相互に補完して、蓋ケース１０Ｃの底面板１５Ｃを所望の位置に案内し、この底面板１５Ｃと本体ケース１０Ｂの本体底面板１５Ｂとを互いに噛み合わせて嵌合させることが出来る。
（３−２）凹部中央（図６Ｄ）
【実施例８】
【００６１】
本実施例８の陳列ケース１は、上記案内ガイド部として、図６のＤ部に、正面板１４Ｃの中央部を窪ませて凹部蓋正面板２３を設けた。この凹部蓋正面板２３の背面板１３側には凹部中央隙間２３ａを残して凹部蓋補助正面板２５を蓋側面板１１Ｃから起立させ、本体ケース１０Ｂと蓋ケース１０Ｃの閉状態で、図９のように、本体正面板１４Ｂの中央に設けた凹部本体正面板２４を上記凹部中央隙間２３ａに嵌合させることができる。
【００６２】
この図９は、本体側面板１１Ｂの本体正面板１４Ｂ側に形成した凹部本体正面板２４が、蓋側面板１１Ｃの正面板１４Ｃ側に形成した凹部蓋正面板２３と凹部蓋補助正面板２５との間に嵌っている状態を示す断面図である。同図のように凹部蓋正面板２３と凹部蓋補助正面板２５との間には凹部中央隙間２３ａが形成され、この凹部中央隙間２３ａに凹部本体正面板２４が嵌入する。なお、図６において凹部蓋補助正面板２５は上端１６側から底面板１５Ｃ側まで連続して繋がっているが、凹部蓋正面板２３との間に、本体ケース１０Ｂの凹部本体正面板２４が嵌入する凹部中央隙間２３ａが一部に形成されればよく、必ずしも連続している必要はない。
（３−３）凹部縁（図６Ｅ）
【実施例９】
【００６３】
本実施例９の陳列ケース１は、上記案内ガイド部として、図６のＥ部に相当する凹部本体正面板２４の両側に、本体凹部縁ガイド片２６、２６を設けた。本体ケース１０Ｂと蓋ケース１０Ｃの閉状態で、この本体凹部縁ガイド片２６、２６を、蓋ケース１０Ｃに設けた凹部蓋補助正面板２５と正面板１４Ｃとの間の凹部縁隙間２５ａ、２５ａに、図１０のように嵌合させることができる。
【００６４】
上記実施例８では、凹部本体正面板２４は凹部蓋正面板２３と凹部蓋補助正面板２５との間に形成している凹部中央隙間２３ａに嵌ることができ、本実施例９で本体凹部縁ガイド片２６は正面板１４Ｃと凹部蓋補助正面板２５との間に形成される凹部縁隙間２５ａに嵌合させることができ、本体ケース１０Ｂと蓋ケース１０Ｃをより強固にロックすることができる。
【００６５】
図１０は本体正面板１４Ｂと正面板１４Ｃとが接合している断面図であるが、本体正面板１４Ｂの内側には本体凹部縁ガイド片２６が設けられ、その先端部は傾斜している。そして、本体凹部縁ガイド片２６は正面板１４Ｃと凹部蓋補助正面板２５との間に設けている凹部縁隙間２５ａに嵌っている。本体正面板１４Ｂと正面板１４Ｃとが互いに接合するに際して、上記本体凹部縁ガイド片２６の傾斜面が凹部蓋補助正面板２５の先端に当って、本体凹部縁ガイド片２６が凹部縁隙間２５ａに嵌入するように導かれる。
（３−４）上下部コーナー（Ａ又はＡ’）
【実施例１０】
【００６６】
本実施例１０の陳列ケース１は、上記案内ガイド部として、図６のＡ部に相当する、正面板１４Ｃの上端には蓋上部コーナー７１を、本体正面板１４Ｂの上端には本体上部コーナー８１を設けた。そして、図１１のように、蓋上部コーナー７１の内側にはガイドリブ７５を蓋側面板１１Ｃから起立させると共にその先端と正面板１４Ｃとの間には隙間７１ａを形成した。
【００６７】
このような案内ガイド部により、本体ケース１０Ｂと蓋ケース１０Ｃの閉状態で、上記隙間７１ａに本体正面板１４Ｂを嵌めると共に本体上部コーナー８１をガイドリブ７５の上部コーナー空間７５ａに嵌め込むことができる。このようにして本体ケース１０Ｂと蓋ケース１０Ｃとを閉じた際に、ガイドリブ７５と本体上部コーナー８１とは、閉状態としたディスク用陳列ケース１の厚み方向に交差して当接し、蓋側面板１１Ｃ及び／又は本体側面板１１Ｂに垂直な応力に対抗して、ディスク用陳列ケース１の厚みを保持するスペーサーの役割を果たすことができる。なお、本実施例１０では図６のＡ部に相当する位置に上記案内ガイド部を設けたが、図６のＡ’部相当部の正面板１４Ｃの下端に、これらの案内ガイド部を設けてもよい。
（４）剛性強化構造
【００６８】
本発明に係る陳列ケース１は、低コスト化のために低価格の材料を用いて出来得る限りケース厚さを極薄化することが求められるが、同時に、日常的な使用や、自動装着装置１００による自動操縦に耐える強度を維持することも求められる。そこで、陳列ケース１は、内表面に、上記各種案内ガイド部と共に剛性強化構造を設け、ケースが過度に歪んだり潰れたりしないように設計される。剛性強化構造は、例えば以下の実施例で説明する格子状補強リブ５０（図４参照）や、スペーサー５２、収容ケース支持ホルダ５４（図４、図５参照）などである。
【実施例１１】
【００６９】
格子状補強リブ
本発明に係る陳列ケース１は、図４のように、蓋側面板１１Ｃ及び／又は本体側面板１１Ｂの内表面に、これら蓋側面板１１Ｃ及び／又は本体側面板１１Ｂを補強するための補強リブ５０を格子状に立設されるのが好ましい。格子の形状は、図４においては四角形であるが、形状は任意で良く、特に限定されない。蓋側面板１１Ｃ及び／又は本体側面板１１Ｂの内表面に補強リブ５０を設けることで、蓋側面板１１Ｃ及び／又は本体側面板１１Ｂの剛性を高めることができる。
【実施例１２】
【００７０】
スペーサー
また、図４又は図５のように、蓋ケース１０Ｃの蓋側面板１１Ｃ又は本体ケース１０Ｂの本体側面板１１Ｂの内表面に、１又は複数のスペーサー５２を立設させるのも効果的である。この１又は複数のスペーサー５２は、本体ケース１０Ｂと蓋ケース１０Ｃの閉状態で、それぞれ対向する本体側面板１１Ｂ又は蓋側面板１１Ｃに当接するように立設すれば、本体側面板１１Ｂと蓋側面板間１１の間隔を保持することができる。すなわち、空の陳列ケース１を積み上げたり、上部に貨物を載せたりする場合、下方の空の陳列ケース１の表面には荷重がかかり、不可逆的に変形したり潰れたりするが、スペーサー５２を設けることによりこれらの変形等を防止することができる。
【実施例１３】
【００７１】
スペーサー（収容ケース支持ホルダ）
上記スペーサー５２を、陳列ケース１の上端１６に設けた開口２からディスク収容ケースを挿入した際に、当該収容ケースの下端部に当接する位置に立設させれば、このディスク収容ケースを下方から支持することができ、好都合である。すなわち、このような位置に立設させたスペーサー５２は、本体側面板１１Ｂと蓋側面板間１１の間隔を保持することができると共に、収容ケース支持ホルダ５４の役割も果たすことができ、有用である。
（５）その他
【００７２】
図６Ｃ部において、本体底面板１５Ｂ側に上方へ傾斜した傾斜ガイド片３５を設けたが、底面板１５Ｃの背面板１３側に下方へ傾斜した傾斜ガイド片３５’を形成してもよい。また、図６Ｂ部において、蓋側面板１１Ｃと本体側面板１１Ｂの底縁構造を逆転し、本体側面板１１Ｂ側に底縁ガイド片３０及び底縁隙間３０ａを設けて、底面板１５Ｃが底縁隙間３０ａに嵌るようにしてもよい（図４〜図６参照）。
【００７３】
さらに、図６のＡ部に相当する、正面板１４Ｃの上端には蓋上部コーナー７１を、本体正面板１４Ｂの上端には本体上部コーナー８１を設け、蓋上部コーナー７１の内側にはガイドリブ７５を蓋側面板１１Ｃから起立させると共にその先端と正面板１４Ｃとの間には隙間７１ａを形成した。しかし、これらの案内ガイド部は、図６のＡ’部相当部の正面板１４Ｃの下端及び本体正面板１４Ｂの下端に同様の構造を設けてもよい。
【００７４】
さらに、図６のＤ、Ｅ部において、凹部本体正面板２４、凹部蓋正面板２３、凹部蓋補助正面板２５の位置関係を逆にすることも出来、本体側面板１１Ｂに凹部本体補助正面板（凹部蓋補助正面板２５に対応）を設けることもできる。
【００７５】
そしてさらに、図６において、本体正面板１４Ｂ、正面板１４Ｃ、本体凹部縁ガイド片２６、凹部蓋補助正面板２５の位置関係を逆にして、蓋側面板１１Ｃに蓋凹部縁ガイド片（本体凹部縁ガイド片２６に対応）、本体側面板１１Ｂ側に凹部本体補助正面板（凹部蓋補助正面板２５に対応）を設け、本体正面板１４Ｂが外表面側で正面板１４Ｃが内側とすることもある。
【００７６】
以上、本発明に係るメディアディスク用陳列ケースについて説明したが、本発明は上記実施形態及び実施例に限定されるものではない。本明細書等において、蓋ケースを右側に、本体ケースを左側としたが、左右逆転してもよい。また、自動装着装置及びそのケース開閉手段も紙片挿入手段も特に限定されない。また、格子状補強リブの格子及び補強リブの形状も限定されず、スペーサー及び収容ケース支持ホルダの形状も特に限定されない。さらに、本発明に係るメディアディスク用陳列ケースの材質や大きさも特に限定されるものではない。
【００７７】
その他、本発明は、その主旨を逸脱しない範囲で当業者の知識に基づき種々の改良、修正、変更を加えた態様で実施できるものである。
【産業上の利用可能性】
【００７８】
本発明に係るメディアディスク用陳列ケースは、ＤＶＤ、ＣＤ等のメディアディスクを入れるメディアディスクケースを収容するケースとして用いることができ、レンタルショツプ等の店頭の陳列棚に配列するなどして用いることができる。
【符号の説明】
【００７９】
１：メディアディスク用陳列ケース
２：開口
３：透明シート
４：空間
５：低いリブ
１０Ｃ：蓋ケース
１０Ｂ：本体ケース
１１Ｃ：蓋側面板
１１Ｂ：本体側面板
１２：継手部
１３：背面板
１４Ｃ：正面板
１４Ｂ：本体正面板
１５Ｃ：底面板
１５Ｂ：本体底面板
１６：上端
２０：係止凹部
２１：蓋係止部
２２：本体係止部
２３：凹部蓋正面板
２３ａ：凹部中央隙間
２４：凹部本体正面板
２５：凹部蓋補助正面板
２５ａ：凹部縁隙間
２６：本体凹部縁ガイド片
３０：底縁ガイド片
３０ａ：底縁隙間
３１：円弧
３５、３５’：傾斜ガイド片
５０：格子状補強リブ
５２：スペーサー
５４：収容ケース支持ホルダ
７１：蓋上部コーナー
７１ａ：隙間
７５：ガイドリブ
７５ａ：上部コーナー空間
８１：本体上部コーナー
１００：自動装着装置
１０１：ケース開閉手段
１０１ａ、１０１ｂ：アーム
１０５：紙片挿入手段
１０５ａ、１０５ｂ：支持棒
１０６ａ、１０６ｂ：支持棒
１１０：タイトル紙
【図１】
2020132248.tif 000003
【図２】
2020132248.tif 000004
【図３】
2020132248.tif 000005
【図４】
2020132248.tif 000006
【図５】
2020132248.tif 000007
【図６】
2020132248.tif 000008
【図７】
2020132248.tif 000009
【図８】
2020132248.tif 000010
【図９】
2020132248.tif 000011
【図１０】
2020132248.tif 000012
【図１１】
2020132248.tif 000013
【図１２】
2020132248.tif 000014